(57)【要約】      （修正有）【課題】紙ガード機能を具えた取紙機構の提供。【解決手段】取紙部品、紙ガード構造、上蓋、底台を含む。該紙ガード構造は紙ガード部品と接触ブロック４０を含み、該紙ガード部品は該上蓋と該底台間に設置する。該紙ガード部品は上側に位置する連接アーム３３と下側に位置する紙ガード部３５を具え、該連接アーム上端は片側に向かい接触部３４を突出形成し、該接触部下方には通路を形成し、該接触ブロックはローラーフレーム２１の側壁上に突出設置する。取紙時には、該接触ブロックは該取紙部品の下方への運動により連動され下方に向かい通路を通過し、こうして該紙ガード部品の接触部は該紙ガード部品の接触部は該接触ブロックの接触を離脱し、該紙ガード部は紙により押される。【選択図】図７
0003132745.tif 000002
【実用新案登録請求の範囲】
【請求項１】
上蓋、底台、取紙部品紙ガード構造を含み、
該底台上には該上蓋が蓋合し、該底台前端には紙を載せるキャリア台を具え、該底台の後端は該上蓋と対応し紙伝送通路を形成し、
該取紙部品は該上蓋と該底台間に設置し、ローラーフレーム、取紙ローラー、分紙ローラーを含み、該ローラーフレームは２面の側壁を具え、該取紙ローラー及び該分紙ローラーはそれぞれ該ローラーフレーム内の前後両側に設置し、該取紙機構が進紙信号を未探知の時には、該取紙部品の取紙ローラーは紙の上方に位置し、しかも紙と一定の距離を隔て、該取紙機構が取紙する時には、該取紙部品は下方へと回転し、該取紙ローラーは下方に向かい紙に接触し、
該紙ガード構造は紙ガード部品と接触ブロックを含み、該紙ガード部品は該上蓋と該底台間に設置し、その間で回転可能で、該紙ガード部品は上側に位置する連接アームと下側に位置する紙ガード部を具え、該連接アーム上端は片側に向かい接触部を突出形成し、該接触部下方には通路を形成し、該接触ブロックは該ローラーフレームの側壁上に突出設置し、
進紙信号を未探知の時には、該接触部は該接触ブロック底部に接触し、これにより該紙ガード部は紙の前進に従い回転することができず、
取紙時には、該接触ブロックは該取紙部品の連動により下方へと該接触部下方の通路を通過し、こうして該紙ガード部品の接触部は該接触ブロックの接触を離脱することを特徴とする紙ガード機能を具えた取紙機構。
【請求項２】
前記接触ブロックは該ローラーフレーム側壁の上部の前端に突出設置することを特徴とする請求項１記載の紙ガード機能を具えた取紙機構。
【請求項３】
前記ローラーフレーム両側壁前側にはそれぞれ第一枢結孔を開設し、両側壁後側にはそれぞれ第二枢結孔を開設し、該分紙ローラーは主動軸を具え、該主動軸は該第二枢結孔中に枢結し外に向かって伸出し、該取紙部品は該主動軸を軸とし外力の作用により回転することを特徴とする請求項１記載の紙ガード機能を具えた取紙機構。
【請求項４】
前記上蓋内壁のおよそ横方向中央部区域は両側に対応し、それぞれ一対の固持片を下方へと突出設置し、該取紙部品のローラーフレームは該固持片の間の空間に収容され、内壁はその内の一対の固持片外側において該固持片と平行な枢結片を具え、該主動軸片側は比較的長い距離外側へと延伸し、該２個の固持片を貫通後、該枢結片に枢結し、反対側は外へとわずかに伸出し、反対側の内側に近い固持片に枢結することを特徴とする請求項３記載の紙ガード機能を具えた取紙機構。
【請求項５】
前記上蓋の内壁のおよそ横方向中央部区域は両側に対応し、それぞれ一対の固持片を下方へと突出設置し、該取紙部品のローラーフレームは該固持片の間の空間に収容されることを特徴とする請求項１記載の紙ガード機能を具えた取紙機構。
【請求項６】
前記固持片前端のほぼ中央部位置は内側に向かいおよそ「クサビ型」を呈する係合槽を開設し、該係合槽の末端は底部に向かい延伸し、その底端は大半円弧状を呈し、
該紙ガード部品は連接部を具え、該連接部両側はそれぞれ枢結部を延伸し、該枢結部の末端は傾斜し、該連接アームを上方へと延伸し、該連接アーム末端は外側へと向かい該接触部を突出形成し、該連接部は下方へと延伸し該紙ガード部を形成し、該対紙ガード部品は相対する両側の２個の固持片の係合槽中にそれぞれ枢結し、該紙ガード部品の連接部は該２個の固持片の間に位置し、該枢結部は１個の固持片の係合槽中にそれぞれ係合設置し、こうして該紙ガード部品は該枢結部を軸とし回転することを特徴とする請求項５記載の紙ガード機能を具えた取紙機構。
【請求項７】
前記キャリア台は横方向中央部両側においてそれぞれ凹槽を開設し、該紙ガード部品底部は該凹槽内に位置することを特徴とする請求項１記載の紙ガード機能を具えた取紙機構。
【考案の詳細な説明】
【技術分野】
【０００１】
本考案は一種の紙ガード機能を具えた取紙機構に関する。特に一種のスキャナー、コピー機などの事務設備に用いる紙ガード機能を具えた取紙機構に係る。
【背景技術】
【０００２】
スキャナー、コピー機、多機能事務機などの各種事務画像処理設備は、現代のオフィスにとってはなくてはならない設備である。これら設備はすべて取紙機能を具える点で共通している。
スキャナーを例とし、上記事務画像処理設備の本体構造を説明する。公知のスキャナーは取紙機構、送紙機構、排紙機構、走査機構により組成され、これら機構はハウジング内に設置される。
該取紙機構は外部の紙を取紙し、該ハウジング内の紙伝送通路中に送り込む。
該送紙機構は該紙伝送通路内に位置する紙をスキャナーに伝送し、走査操作を行う。
該排紙機構は走査操作を経た紙を、該ハウジング内から排出する。
【０００３】
上記公知のスキャナー中において、該取紙機構は一般に紙ガード機構を含む。該紙ガード機構により、進紙前に紙を適当な位置に位置させ、これにより挿入が深くなり過ぎることを防ぎ、こうして紙の伝送がスムーズに行かず、紙詰まりの現象が起きることを防止することができる。また該紙ガード機構は紙の挿入が浅過ぎ、取紙ローラーが紙に接触できず伝送することができなくなることを防止することができる。
【０００４】
特許文献１は紙ガード機能を具えた取紙装置を掲示している。該構造は取紙ローラーユニットと紙ガード機構を含む。
該紙ガード機構は紙ガード部品とオーバーハング部品により組成し、該紙ガード部品は該取紙ローラーユニットの片側に位置し、環状の枢結部を具える。該枢結部は該取紙ローラーユニットの取紙ローラーの回転軸上に嵌設する。該枢結部は紙ガード部を下方へと延伸形成し、接触部を上方へと延伸形成する。該オーバーハング部品は該取紙装置のADF(auto document feeder)上蓋上に固定し、その一端にはガード部を突出する。該ガード部は該紙ガード部品の接触部と接触対応する。
【０００５】
【特許文献１】米国特許第20050035534号明細書
【０００６】
該取紙装置が進紙信号を未探知である時には、該取紙ローラーユニットは紙の上方のある程度離れた場所に位置する。また該紙ガード部品の接触部は該オーバーハング部品のガード部において接触固定し、該紙ガード部品の運動を阻止し、紙ガードの機能を達成する。
該取紙装置が進紙信号を探知すると、該取紙ローラー組は下方へと回転し、該紙ガード部品もまた下方へと運動する。つまり、該紙ガード部品の接触部と該オーバーハング部品のガード部は徐々に分離し、こうして該取紙ローラーが伝送する紙は該紙ガード部品を押し回転させ、また下方に形成する通路から該取紙装置中に伝送し、取紙操作を完成する。
しかし、該紙ガード機構の構造は複雑で、製造、組み立て共に不便である。
【考案の開示】
【考案が解決しようとする課題】
【０００７】
上記課題を解決するため、本考案は下記の紙ガード機能を具えた取紙機構を提供する。
それは主に製造と組立てが便利で紙ガード機能を具えた取紙機構を提供し、
該取紙構造は上蓋、底台、取紙部品紙ガード構造を含み、
該底台上には該上蓋が蓋合し、該底台前端には紙を載せるキャリア台を具え、該底台の後端は該上蓋と対応し紙伝送通路を形成する。
【０００８】
該取紙部品は該上蓋と該底台間に設置し、ローラーフレーム、取紙ローラー、分紙ローラーを含み、該ローラーフレームは２面の側壁を具え、該取紙ローラー及び該分紙ローラーはそれぞれ該ローラーフレーム内の前後両側に設置し、該取紙機構が進紙信号を未探知の時には、該取紙部品の取紙ローラーは紙の上方に位置し、しかも紙と一定の距離を隔て、該取紙機構が取紙する時には、該取紙部品は下方へと回転し、該取紙ローラーは下方に向かい紙に接触する。
【０００９】
該紙ガード構造は紙ガード部品と接触ブロックを含み、該紙ガード部品は該上蓋と該底台間に設置し、その間で回転可能で、該紙ガード部品は上側に位置する連接アームと下側に位置する紙ガード部を具え、該連接アーム上端は片側に向かい接触部を突出形成し、該接触部下方には通路を形成し、該接触ブロックは該ローラーフレームの側壁上に突出設置し、
進紙信号を未探知の時には、該接触部は該接触ブロック底部に接触し、これにより該紙ガード部は紙の前進に従い回転することができず、紙ガード作用を達成し、
取紙時には、該接触ブロックは該取紙部品の連動により下方へと該接触部下方の通路を通過し、こうして該紙ガード部品の接触部は該接触ブロックの接触を離脱し、こうして紙ガード部は紙により押され取紙の作用を達成する。
【００１０】
該紙ガード機能を具えた取紙機構は、紙ガード部品の接触部とローラーフレームの側壁に突出設置する接触ブロックの対応により紙ガードの機能を達成することができ、公知技術に比べ、構造が簡単で、製造及び組立てが便利であるという効果を実現することができる紙ガード機能を具えた取紙機構を提供する。
【課題を解決するための手段】
【００１１】
請求項１の考案は、上蓋、底台、取紙部品紙ガード構造を含み、
該底台上には該上蓋が蓋合し、該底台前端には紙を載せるキャリア台を具え、該底台の後端は該上蓋と対応し紙伝送通路を形成し、
該取紙部品は該上蓋と該底台間に設置し、ローラーフレーム、取紙ローラー、分紙ローラーを含み、該ローラーフレームは２面の側壁を具え、該取紙ローラー及び該分紙ローラーはそれぞれ該ローラーフレーム内の前後両側に設置し、該取紙機構が進紙信号を未探知の時には、該取紙部品の取紙ローラーは紙の上方に位置し、しかも紙と一定の距離を隔て、該取紙機構が取紙する時には、該取紙部品は下方へと回転し、該取紙ローラーは下方に向かい紙に接触し、
該紙ガード構造は紙ガード部品と接触ブロックを含み、該紙ガード部品は該上蓋と該底台間に設置し、その間で回転可能で、該紙ガード部品は上側に位置する連接アームと下側に位置する紙ガード部を具え、該連接アーム上端は片側に向かい接触部を突出形成し、該接触部下方には通路を形成し、該接触ブロックは該ローラーフレームの側壁上に突出設置し、
進紙信号を未探知の時には、該接触部は該接触ブロック底部に接触し、これにより該紙ガード部は紙の前進に従い回転することができず、
取紙時には、該接触ブロックは該取紙部品の連動により下方へと該接触部下方の通路を通過し、こうして該紙ガード部品の接触部は該接触ブロックの接触を離脱することを特徴とする紙ガード機能を具えた取紙機構としている。
請求項２の考案は、前記接触ブロックは該ローラーフレーム側壁の上部の前端に突出設置することを特徴とする請求項１記載の紙ガード機能を具えた取紙機構としている。
請求項３の考案は、前記ローラーフレーム両側壁前側にはそれぞれ第一枢結孔を開設し、両側壁後側にはそれぞれ第二枢結孔を開設し、該分紙ローラーは主動軸を具え、該主動軸は該第二枢結孔中に枢結し外に向かって伸出し、該取紙部品は該主動軸を軸とし外力の作用により回転することを特徴とする請求項１記載の紙ガード機能を具えた取紙機構としている。
請求項４の考案は、前記上蓋内壁のおよそ横方向中央部区域は両側に対応し、それぞれ一対の固持片を下方へと突出設置し、該取紙部品のローラーフレームは該固持片の間の空間に収容され、内壁はその内の一対の固持片外側において該固持片と平行な枢結片を具え、該主動軸片側は比較的長い距離外側へと延伸し、該２個の固持片を貫通後、該枢結片に枢結し、反対側は外へとわずかに伸出し、反対側の内側に近い固持片に枢結することを特徴とする請求項３記載の紙ガード機能を具えた取紙機構としている。
請求項５の考案は、前記上蓋の内壁のおよそ横方向中央部区域は両側に対応し、それぞれ一対の固持片を下方へと突出設置し、該取紙部品のローラーフレームは該固持片の間の空間に収容されることを特徴とする請求項１記載の紙ガード機能を具えた取紙機構としている。
請求項６の考案は、前記固持片前端のほぼ中央部位置は内側に向かいおよそ「クサビ型」を呈する係合槽を開設し、該係合槽の末端は底部に向かい延伸し、その底端は大半円弧状を呈し、
該紙ガード部品は連接部を具え、該連接部両側はそれぞれ枢結部を延伸し、該枢結部の末端は傾斜し、該連接アームを上方へと延伸し、該連接アーム末端は外側へと向かい該接触部を突出形成し、該連接部は下方へと延伸し該紙ガード部を形成し、該対紙ガード部品は相対する両側の２個の固持片の係合槽中にそれぞれ枢結し、該紙ガード部品の連接部は該２個の固持片の間に位置し、該枢結部は１個の固持片の係合槽中にそれぞれ係合設置し、こうして該紙ガード部品は該枢結部を軸とし回転することを特徴とする請求項５記載の紙ガード機能を具えた取紙機構としている。
請求項７の考案は、前記キャリア台は横方向中央部両側においてそれぞれ凹槽を開設し、該紙ガード部品底部は該凹槽内に位置することを特徴とする請求項１記載の紙ガード機能を具えた取紙機構としている。
【考案の効果】
【００１２】
本考案紙ガード機能を具えた取紙機構は、紙ガード部品の接触部とローラーフレームの側壁に突出設置する接触ブロックの対応により紙ガードの機能を達成することができる。これは公知技術に比べ、構造が簡単で、製造及び組立てが便利であるという効果を実現することができる。
【考案を実施するための最良の形態】
【００１３】
図１に示すように、本考案紙ガード機能を具えた取紙機構１は底台１０、取紙部品２０、一対の紙ガード部品３０、一対の接触ブロック４０、上蓋５０を含む。
該取紙部品２０と該紙ガード部品３０は共に該上蓋５０内に枢結し、該上蓋５０は該底台１０において蓋合する。
続いて図１、６に示すように、該底台１０前端には紙を載せるキャリア台１１を具え、該底台１０後端と該上蓋５０は対応し、紙伝送通路１０５を形成する。該キャリア台１１は横方向の中央部両側にそれぞれ凹槽１２を開設し、該凹槽１２は紙の伝送方向に沿って縦方向に延伸する。
【００１４】
図１、２に示すように、該取紙部品２０はローラーフレーム２１、取紙ローラー２２、分紙ローラー２３を具える。
該ローラーフレーム２１は両側に側壁２１１を具え、該２面の側壁２１１前側には共に第一枢結孔２１２を開設し、後側には共に第二枢結孔（図示なし）を開設する。該第二枢結孔の縁は固持リング２１３を外側に向けて突出する。
該取紙ローラー２２は従動軸２２１を具え、該分紙ローラー２３は主動軸２３１を具える。該取紙ローラー２２の従動軸２２１両端は該ローラーフレーム２１の側壁２１１の第一枢結孔２１２中にそれぞれ枢結する。該分紙ローラー２３の主動軸２３１は該ローラーフレーム２１両側の第二枢結孔と該固持リング２１３中に枢結し、片側は外に向けて該固持リング２１３をわずかに貫通し、反対側は該固持リング２１３を貫通後、ある程度の距離外へと延伸する。
【００１５】
図１〜３に示すように、該紙ガード構造は該紙ガード部品３０と該接触ブロック４０を含む。
該紙ガード部品３０は連接部３１を具え、該連接部３１両側はそれぞれ枢結部３２を延伸する。該枢結部３２の末端は傾斜し連接アーム３３を上方へと延伸し、該枢結部３２の幅は該連接部３１と該連接アーム３３の幅より小さい。該連接アーム３３の末端縁は弧状を呈し、その末端は外側へと突出しおよそ半円柱状を呈する接触部３４を形成する。こうして該接触部３４と該連接アーム３３の間の区域には通路３６が形成される。
該連接部３１は下方へと延伸し紙ガード部３５を形成する。該接触ブロック４０は該ローラーフレーム２１の側壁２１１上部前端に突出設置し、該接触ブロック４０は該紙ガード部品３０の接触部３４に接触し、或いは該接触部３４下方の通路３６中から貫通する。
【００１６】
再び図１に示すように、該上蓋５０は内壁５１を具え、該内壁５１横方向中央部区域は両側に対応し、それぞれ少なくとも１個の固持片５２を下方へと突出設置する。実際の実施時には、該各片側には共に、一対の相互に平行に設置する固持片５２を突出設置する。該固持片５２前端のほぼ中央部位置は内側に向かいおよそ「クサビ型」を呈する係合槽５２１を開設する。
該係合槽５２１の末端は底部に向かい延伸し、その底端は大半円弧状を呈する。片側の２個の固持片５２はそれぞれ該係合槽５２１下方において、固持孔５２２を開設し、該内壁５１は該各固持変５２外側において、該固持片５２と平行な枢結片５３を具える。該枢結片５３は円孔を開設し、該円孔縁から外に向かい該固持片５２と同一軸の枢結リング５３１を延伸する。該枢結リング５３１は斜め上に向かい矩形片を延伸する。反対側の比較的中央に近い位置の固持片５２も、該係合槽５２１下方において固持孔５２２を開設する。
【００１７】
図４、５、さらに図１に示すように、該取紙部品２０と該紙ガード部品３０は共に該上蓋５０内に枢結する。
該取紙部品２０のローラーフレーム２１は該固持片５２２の間の空間に収容され、該主動軸２３１一端は該固持リング２１３を伸出後、該２個の固持片５２の固持孔５２２を貫通し、さらに比較的長いある程度の距離外へと延伸し、該枢結片５３の枢結リング５３１中に枢結する。該主動軸２３１の反対端は、該ローラーフレーム２１の固持リング２１３を外へとわずかに伸出後、反対の固持孔５２２中に枢結する。こうして該取紙部品２０は該主動軸２３１を軸とし、該底台１０に相対し回転することができる。
該一対の紙ガード部品３０は相対する両側の固持片５２の係合槽５２１中にそれぞれ枢結し、該紙ガード部品３０の連接部３１は該２個の固持片５２間に位置し、該枢結部３２は該１個の固持片５２の係合槽５２１中に係合設置される。該枢結部３２の下部は該係合槽５２１下部の大半円弧と相互に接触し、該紙ガード部品３０は該枢結部３２を軸とし回転する。
該上蓋５０は該底台１０上を蓋合し、該取紙部品２０は該底台１０と該上蓋５０が形成する空間内に収容され、該紙ガード部品３０の紙ガード部３５下端は該底台１０の凹槽１２内に収容される。
【００１８】
図６〜９に示すように、本考案紙ガード機能を具えた取紙機構１の紙ガード、取紙、進紙過程は以下の通りである。
先ず、図６に示すように、本考案紙ガード機能を具えた取紙機構１が進紙信号を未探知である時には、該取紙部品２０の取紙ローラー２２は紙上方に在り、しかも紙とある程度の距離を隔てる。該紙ガード部品３０の紙ガード部３５末端が該底台１０の凹槽１２内に下向きに伸入すると、該紙ガード部品３０の接触部３４は該側壁２１１上に突出設置する接触ブロック４０に上向きに接触する。使用者が紙を該キャリア台１１上に入れ、前方に位置する該紙ガード部品３０の紙ガード部３５に接触すると、該紙ガード部品３０の接触部３４は該接触ブロック４０により阻害され、該紙ガード部３５は紙の前進方向に従い回転することはできず、こうして紙ガードの作用を達成する。
【００１９】
さらに図７、８に示すように、本考案紙ガード機能を具えた取紙機構１が取紙する時、該取紙部品２０は該主動軸２３１を軸とし下方へと回転し、該取紙ローラー２２もまた下方へ向かい紙に接近し、該ローラーフレーム２１の側壁２１１において突出設置する接触ブロック４０もまたこれに従い下方へと運動する。該接触ブロック４０の下方への運動に従い、該接触ブロック４０は該紙ガード部品３０の接触部３４下方の通路３６から伸出し、該取紙ローラー２２は下方に向かい紙と接触する。これにより紙は該キャリア台１１から該取紙ローラー２２により取り出され、該分紙ローラー２３により伝送され、該紙ガード機能を具えた取紙機構１中に進入する。
この時、該紙ガード部品３０の紙ガード部３５は、前から後に向かい伝送した紙の後方へと押さえる作用により、該紙ガード部品３０全体を連動し該枢結部３２を軸とし、該紙ガード部３５の底端が紙の表面に接触し、紙がその底端から通過し、取紙の作用を達成するまで、回転する。
図９に示すように、取紙を停止すると、該紙ガード部品３０は自身の重量により反対方向に回転し、原状を回復する。該取紙部品２０は該主動軸２３１を軸心とし上方へと回転し、該取紙ローラー２２はこれに従い上方へと回転し、紙から離れる。こうして該紙ガード機能を具えた取紙機構１は図６に示す状態を回復する。
【図面の簡単な説明】
【００２０】
【図１】本考案の紙ガード機能を具えた取紙機構の立体分解図である。
【図２】本考案の紙ガード機能を具えた取紙機構の取紙部品の立体図である。
【図３】本考案の紙ガード機能を具えた取紙機構の紙ガード部品の立体図である。
【図４】本考案の紙ガード機能を具えた取紙機構の取紙部品、紙ガード構造、上蓋の立体組み合わせ図である。
【図５】図４のＶで示す部分の局部拡大図である。
【図６】本考案の紙ガード機能を具えた取紙機構の紙ガード、取紙、進紙過程の概略図である。
【図７】本考案の紙ガード機能を具えた取紙機構の紙ガード、取紙、進紙過程の概略図である。
【図８】本考案の紙ガード機能を具えた取紙機構の紙ガード、取紙、進紙過程の概略図である。
【図９】本考案の紙ガード機能を具えた取紙機構の紙ガード、取紙、進紙過程の概略図である。
【符号の説明】
【００２１】
１  紙ガード機能を具えた取紙機構
１０  底台
１０５  紙伝送通路
１１  キャリア台
１２  凹槽
２０  取紙部品
２１  ローラーフレーム
２１１  側壁
２１２  第一枢結孔
２１３  固持リング
２２  取紙ローラー
２２１  従動軸
２３  分紙ローラー
２３１  主動軸
３０  紙ガード部品
３１  連接部
３２  枢結部
３３  連接アーム
３４  接触部
３５  紙ガード部
３６  通路
４０  接触ブロック
５０  上蓋
５１  内壁
５２  固持片
５２１  係合槽
５２２  固持孔
５３  枢結片
５３１  枢結リング
【図１】
0003132745.tif 000003
【図２】
0003132745.tif 000004
【図３】
0003132745.tif 000005
【図４】
0003132745.tif 000006
【図５】
0003132745.tif 000007
【図６】
0003132745.tif 000008
【図７】
0003132745.tif 000009
【図８】
0003132745.tif 000010
【図９】
0003132745.tif 000011